(57)【要約】【課題】  ネットワーク装置の移動計画が事前に分かっている場合、その移動計画を基に時間経過に従って移動するネットワークの通信状態の変化を予測できるようにする。【解決手段】少なくともネットワーク装置の通信可能距離情報とネットワーク装置の移動ルートを特定する位置情報とを入力する入力手段１−３，１−５と、これらの入力情報に基づいて、移動ルート上でのネットワーク装置の移動に伴うネットワーク装置間の通信状態の変化をシミュレーションするシミュレーション管理手段１−２と、このシミュレーション管理手段１−２によるシミュレーション結果を提示する提示手段１−１とをそなえる。【選択図】        図１
2006165870.tif 000002
【特許請求の範囲】
【請求項１】
複数の移動可能なネットワーク装置で構成されるネットワークの、該ネットワーク装置の移動に伴う該ネットワークの通信環境の変化をシミュレーションする通信シミュレーション装置であって、
少なくとも該ネットワーク装置の通信可能距離情報と該ネットワーク装置の移動ルートを特定する位置情報とを入力する入力手段と、
該入力手段により入力された該通信可能距離情報及び該位置情報に基づいて、該移動ルート上での該ネットワーク装置の移動に伴う該ネットワーク装置間の通信状態の変化をシミュレーションするシミュレーション管理手段と、
該シミュレーション管理手段によるシミュレーション結果を提示する提示手段とをそなえたことを特徴とする、通信シミュレーション装置。
【請求項２】
該シミュレーション結果提示手段が、
該シミュレーション結果に基づいて、該ネットワーク装置の該移動ルート上の移動とともに該ネットワーク装置間の通信可否の変化を表示するシミュレーション表示手段として構成されていることを特徴とする、請求項１記載の通信シミュレーション装置。
【請求項３】
該シミュレーション表示手段が、
該ネットワーク装置間が通信可能であるときには、当該ネットワーク装置間に接続線を引いてその旨を表示するように構成されたことを特徴とする、請求項２記載の通信シミュレーション装置。
【請求項４】
複数の移動可能なネットワーク装置で構成されるネットワークの、該ネットワーク装置の移動に伴う該ネットワークの通信環境の変化を少なくとも該ネットワーク装置の通信可能距離情報と該ネットワーク装置の移動ルートを特定する位置情報とに基づいてシミュレーションする通信シミュレーション装置に接続される該ネットワーク装置であって、
上記シミュレーション結果を該通信シミュレーション装置から受信する受信手段と、
該受信手段で受信した該シミュレーション結果に基づいて、自己の通信状態の変化予測を自己に接続している他の通信装置に提示する通信状態予測提示手段とをそなえたことを特徴とする、ネットワーク装置。
【請求項５】
複数の移動可能なネットワーク装置で構成されるネットワークの、該ネットワーク装置の移動に伴う該ネットワークの通信環境の変化をシミュレーションする通信シミュレーション方法であって、
少なくとも該ネットワーク装置の通信可能距離情報と該ネットワーク装置の移動ルートを特定する位置情報とに基づいて、該移動ルート上での該ネットワーク装置の移動に伴う該ネットワーク装置間の通信状態の変化をシミュレーションし、
そのシミュレーション結果を提示することを特徴とする、通信シミュレーション方法。
【発明の詳細な説明】
【技術分野】
【０００１】
本発明は、通信シミュレーション及び方法、並びに、ネットワーク装置に関し、例えば、モバイル無線ルータを使ったアドホックネットワークを構築する際に用いて好適なシミュレーション技術に関する。
【背景技術】
【０００２】
近年、モバイル無線ルータ等の移動可能なネットワーク装置を使ったアドホックネットワークの実用化の検討が進んでいる。アドホックネットワークとは、一時的に構築されるネットワークのことを指す。アドホックネットワークの特徴としては、
(1)事前にネットワーク装置（モバイル無線ルータなど）に設定がいらない（他のネットワーク装置の存在を知らなくて良い）、
(2)自律的にネットワークを構成する、
(3)新たなネットワーク装置の接続／切断などネットワークトポロジの動的変化があること、
などが挙げられる。
【０００３】
かかるアドホックネットワークは、離島や山岳地帯など、携帯電話等の移動通信ネットワーク、ＩＰ（Internet Protocol）ネットワークのインフラが整備されていない地域、土木開発事業などの工事、非常災害時など、移動通信ネットワークやＩＰネットワークに接続できない場所でのネットワークとして期待されている他、イベント会場での一時的なネットワークや、ネットワーク装置を車載することによる、ネットワーク自体が移動する移動ネットワークなど幅広く用途が期待されている。これは、メールや現場の写真をやりとりする他、近年ではＶｏＩＰ（Voice over IP）を使った音声通信を行なうために不可欠なインフラとなってきているからである。
【０００４】
さて、アドホックネットワークの特徴の１つである「新たなネットワーク装置の接続／切断など、ネットワークトポロジの動的変化がある」ということは、アドホックネットワークを構成するネットワーク装置は移動が前提ということである。ゆえに、広範囲で通信網を構築するためには多くの設備が必要となる（点在させる必要がある）。そのため、できるだけ最小限の設備で済むよう予め設置シミュレーションを行なうのが望ましい。
【０００５】
ここで、従来、移動するネットワークの通信を管理する方法として、移動中のモバイル無線ルータから位置や電波状況などの情報を受信し、それを基に適切な基幹ＩＰ網のアクセスポイント（移動ルータ）を選択するものがある（例えば、下記特許文献１参照）。
また、新たに設置した基地局のサービスエリア測定、最適化、管理等を効率良く実施することが可能なサービスエリア試験システムとして、例えば下記特許文献２により提案されているシステムがある。このシステムでは、予め実施したシミュレーション結果からサービスエリアを予測し、予測したサービスエリアにおいてエリア測定装置が移動しながら受信電界強度やビットエラーレート（ＢＥＲ）等を測定し、その測定データをサーバに送り、当該サーバにおいて測定データの解析を行ない、その解析結果を上記エリア測定装置に返送し、この返送情報に基づいて移動通信システムを遠隔制御して、新設基地局のパラメータやアンテナチルト等の調整を行なう。これにより、新設基地局のサービスエリア測定、最適化、管理等を効率良く行なうことが可能になる。
【０００６】
さらに、移動通信網のシミュレーション方法として、下記特許文献３により提案されている技術がある。この技術は、システム構成の代替案を総合的にさらに地域条件に即しより正確に評価することを目的としている。より詳細には、移動通信網について呼損率等のサービス品質を予測し、かつ移動通信網システムを実現するのに必要な網コストを同時に算出することにより、システム構成の代替案を総合的に評価できるようにする。また、無線基地局の位置、建物等の設置状況といった地理的条件及び場所によるトラヒック条件をシミュレーションの入力条件として考慮することにより、実際の地域において移動通信網のシステム構成を総合的にかつ正確に評価できるようにする。
【０００７】
そのため、この特許文献３の技術では、移動通信システムにおいて、オブジェクト指向技術を用いて、システムを構成する要素をオブジェクトとして記述し、構成要素の状態変化を計算機上で模擬することにより、無線基地局における呼損率等のサービス品質を予測し、かつそのシステム構成を実現するのに必要な網コストを同時に算出して、移動通信システムを総合的に評価することが行なわれる。
【特許文献１】特開２００４−１２０３２２号公報
【特許文献２】特開２００４−８４９８号公報
【特許文献３】特開平７−２８３７７８号公報
【発明の開示】
【発明が解決しようとする課題】
【０００８】
アドホックネットワークが実現すると、自律的に形成される移動ネットワークがいつ、どこでどのようなネットワーク構成になるか、即ち、通信状態はどのように変化するかを事前に知りたくなる場合がある。エンタプライズが効果的にアドホックネットワークを利用しようとすると、モバイル無線ルータ等のネットワーク装置をいくつ用意すればよいのか、当該ネットワーク装置の移動ルートとしてどのようなルートを採るのが効果的なのか、人件費・設備費などのコストはどの程度必要なのか等を意識するからである。
【０００９】
しかしながら、上述した従来の技術では、移動の始点から終点の間でいくつかのポイントを設け、そのポイントにおける状況をシミュレーションすることになる。移動するネットワーク装置は複数あるため、精度を高めようとすると、ポイントの数を多くする必要があり、非常に多くの工数を要するという課題がある。また、ネットワークの利用者が不特定多数であった場合、シミュレーション結果（通信接続／切断の時間帯の情報など）を利用者へ周知することも困難である。
【００１０】
本発明は、このような課題に鑑み創案されたもので、ネットワークを構成するネットワーク装置の移動計画が事前に分かっている場合、その移動計画を基に時間経過に従って移動するネットワークの通信状態の変化を予測（シミュレーション）できるようにすることを目的とする。また、そのシミュレーション結果に基づき、ネットワークに接続している通信装置に通信状況の変化予測を通知できるようにすることを目的とする。
【課題を解決するための手段】
【００１１】
上記の目的を達成するために、本発明の通信シミュレーション装置（請求項１）は、複数の移動可能なネットワーク装置で構成されるネットワークの、該ネットワーク装置の移動に伴う該ネットワークの通信環境の変化をシミュレーションする装置であって、少なくとも該ネットワーク装置の通信可能距離情報と該ネットワーク装置の移動ルートを特定する位置情報とを入力する入力手段と、該入力手段により入力された該通信可能距離情報及び該位置情報に基づいて、該移動ルート上での該ネットワーク装置の移動に伴う該ネットワーク装置間の通信状態の変化をシミュレーションするシミュレーション管理手段と、該シミュレーション管理手段によるシミュレーション結果を提示する提示手段とをそなえたことを特徴としている。
【００１２】
ここで、該シミュレーション結果提示手段は、該シミュレーション結果に基づいて、該ネットワーク装置の該移動ルート上の移動とともに該ネットワーク装置間の通信可否の変化を表示するシミュレーション表示手段として構成されていてもよい（請求項２）。
また、該シミュレーション表示手段は、該ネットワーク装置間が通信可能であるときには、当該ネットワーク装置間に接続線を引いてその旨を表示するように構成してもよい（請求項３）。
【００１３】
さらに、本発明のネットワーク装置（請求項４）は、複数の移動可能なネットワーク装置で構成されるネットワークの、該ネットワーク装置の移動に伴う該ネットワークの通信環境の変化を少なくとも該ネットワーク装置の通信可能距離情報と該ネットワーク装置の移動ルートを特定する位置情報とに基づいてシミュレーションする通信シミュレーション装置に接続される該ネットワーク装置であって、上記シミュレーション結果を該通信シミュレーション装置から受信する受信手段と、該受信手段で受信した該シミュレーション結果に基づいて、自己の通信状態の変化予測を自己に接続している他の通信装置に提示する通信状態予測提示手段とをそなえたことを特徴としている。
【００１４】
また、本発明の通信シミュレーション方法（請求項５）は、複数の移動可能なネットワーク装置で構成されるネットワークの、該ネットワーク装置の移動に伴う該ネットワークの通信環境の変化をシミュレーションする方法であって、少なくとも該ネットワーク装置の通信可能距離情報と該ネットワーク装置の移動ルートを特定する位置情報とに基づいて、該移動ルート上での該ネットワーク装置の移動に伴う該ネットワーク装置間の通信状態の変化をシミュレーションし、そのシミュレーション結果を提示することを特徴としている。
【発明の効果】
【００１５】
上記の本発明によれば、主として、次のような効果ないし利点が得られる。
（１）ネットワーク装置の移動計画（移動ルートや移動開始時刻など）に関する情報（位置情報）とネットワーク装置の通信可能距離情報とを入力すれば、時間の経過に伴いネットワーク装置がどのように移動しながらネットワークを形成し、どのような通信状態の変化を辿るか（ネットワークの移動に伴う通信環境の変化）をシミュレーション（予測）することができる。したがって、実際にネットワーク装置を現地で移動させてネットワークを構築する前に、通信状態を把握（予測）することができるため、現地で通信可能な地点を調査する必要がなく、また、評価にかかる時間も大幅に短縮することができるため、人件費、設備費を抑えることができる。
【００１６】
（２）ネットワーク装置にシミュレーション結果を送信することができるので、予めシミュレーション結果を知らない利用者でも、上記通信装置をネットワーク（ネットワーク装置）に接続することで、移動に伴うネットワークの通信状態の変化を予測することができるため、ネットワークを使った作業を計画的に行なうことができるようになる。
【発明を実施するための最良の形態】
【００１７】
〔Ａ〕第１実施形態の説明
図１は本発明の第１実施形態としての通信シミュレーション装置の構成を示す機能ブロック図で、この図１に示す通信シミュレーション装置１−１１は、シミュレーション表示部１−１，シミュレーション管理部１−２，ルータ固定情報入力部１−３，ルータ情報管理部１−４，ルータ移動計画情報入力部１−５，シミュレーション結果情報記憶部１−６，ルータ固定情報記憶部１−７，ルータ移動計画情報記憶部１−８及びルータ位置情報記憶部１−９をそなえて構成されている。
【００１８】
ここで、ルータ固定情報入力部１−３は、モバイル無線ルータ（アドホックネットワークを構成するネットワーク装置）を登録するとともに、当該モバイル無線ルータ（以下、単に「ルータ」ともいう）に関する固定情報を入力するための機能を有するものである。前記固定情報は、例えば、ルータ識別子、電波到達距離（通信可能距離）、その他のルータに関する属性（ルータの名称など）を含んで構成される。
【００１９】
ルータ移動計画情報入力部１−５は、モバイル無線ルータが何処から何処へどのような経路（ルート）を通って移動するかという情報（ルータ移動計画情報）を入力するための機能を有するものである。ルータ移動計画情報１８は、例えば、ルータ識別子、移動開始時刻、移動速度、移動ルートに関する情報を含んで構成される。また、上記「移動ルート」は、ルータ移動計画情報入力部１−５で入力された位置情報の集合で特定（定義）される。
【００２０】
つまり、上記のルータ固定情報入力部１−３及びルータ移動計画情報入力部１−５は、少なくともモバイル無線ルータの通信可能距離情報とモバイル無線ルータの移動ルートを特定する位置情報とを入力する入力手段として機能する。
ルータ情報管理部１−４は、ルータ固定情報入力部１−３及びルータ移動計画情報入力部１−５から受け取った入力情報を基に、例えば、図２に示すようなルータ固定情報１７及び図３に示すようなルータ移動計画情報１８を作成する機能を有するものである。なお、ルータ固定情報１７は、ルータ固定情報記憶部１−７に記憶（保存）され、ルータ移動計画情報１８は、ルータ移動計画情報記憶部１−８に保存される。
【００２１】
シミュレーション表示部（シミュレーション結果提示手段、シミュレーション表示手段）１−１は、シミュレーション管理部１−２によるシミュレーション結果（シミュレーション結果情報１６）に基づいて、複数のモバイル無線ルータの移動状況、モバイル無線ルータ間の通信状態（通信可否）の変化（つまり、アドホックネットワークの移動に伴う通信環境の変化）を時間の経過に沿って表示（アニメーション表示）する機能を有するものである。また、このシミュレーション表示部１−１は、シミュレーション管理者１−１０からのシミュレーション実行トリガを受け付ける機能も有している。
【００２２】
シミュレーション管理部１−２は、ルータ情報管理部１−４を介して取得したルータ移動計画情報１８を基に、例えば図４に示すようなルータ位置情報１９を作成する機能を有するものである。このルータ位置情報１９は、モバイル無線ルータの移動開始時刻から一定時刻ごとの位置情報の集合であり、ルータ位置情報記憶部１−９に記憶される。また、このシミュレーション管理部１−２は、ルータ位置情報１９とルータ情報管理部１−４を介して取得したルータ固定情報１７とを基に、シミュレーション結果情報１６を作成する機能も有する。シミュレーション結果情報１６は、ルータ識別子の数（つまり、登録されたモバイル無線ルータの数）だけ存在し、例えば図５に示すように、時刻、位置、通信可能ルータ識別子に関する情報を含んで構成され、シミュレーション結果情報記憶部１−６に記憶される。
【００２３】
なお、上記の各種記憶部１−６〜１−９は、ハードディスクやＲＡＭ等の所要の記録媒体により構成することができ、それぞれ個別の記録媒体で構成してもよいし、単一あるいは複数の記録媒体の記憶領域を記憶すべき情報によって分割して使用するようにしてもよい。
以下、上述のごとく構成された本実施形態の通信シミュレーション装置１−１１の動作（処理の流れ）について説明する。
【００２４】
・動作概要
まず、シミュレーション管理者１−１０がルータ固定情報入力部１−３からモバイル無線ルータに関する固定情報を入力すると、入力された当該固定情報を基にルータ情報管理部１−４がルータ固定情報１７を作成する。
次に、シミュレーション管理者１−１０がルータ移動計画情報入力部１−５からモバイル無線ルータの移動計画情報を入力すると、入力された情報を基にルータ情報管理部１−４がルータ移動計画情報１８を作成する。
【００２５】
次に、シミュレーション管理者１−１０からシミュレーション実行要求をシミュレーション表示部１−１が受け取ると、その旨をシミュレーション管理部１−２に通知する。シミュレーション管理部１−２は、ルータ情報管理部１−４を介してルータ移動計画情報１８を取得し、当該ルータ移動計画情報１８を基に、前記ルータ位置情報１９を作成する。即ち、シミュレーション管理部１−２は、移動開始時刻から一定時間経過後にどのルータ識別子のルータがどの位置に存在するかを移動速度に関する情報と位置の集合情報とから算出してルータ位置情報１９を作成する。
【００２６】
ルータ位置情報１９の作成が完了すると、シミュレーション管理部１−２は、次に、シミュレーション結果情報１６を作成する。例えば、シミュレーション管理者１−１０から指定されたシミュレーション開始時刻から一定時刻ごと（図５中の時刻Ａ１、時刻Ａ２、時刻Ａ３等参照）のルータ識別子の位置（図５中の位置Ａ１、位置Ａ２、位置Ａ３等参照）を算出してシミュレーション結果情報１６（図５参照）を作成し、これをシミュレーション結果情報記憶部１−６に保存する。
【００２７】
次に、シミュレーション管理部１−２は、ルータ情報管理部１−４を介してルータ固定情報記憶部１−７からルータ識別子に対応する電波到達距離を取得し、ルータ位置情報記憶部１−９から各時刻における当該ルータ識別子の電波到達距離範囲に位置する他のルータ（通信可能ルータ）を検出し、その識別子（通信可能ルータ識別子）をシミュレーション結果情報１６に書き込む（図５中の識別子Ｘ１、識別子Ｙ１等参照）。つまり、シミュレーション管理部１−２は、入力手段としての各入力部１−３，１−５により入力された情報（電波到達距離情報及び移動ルートを特定する位置情報）に基づいて、前記移動ルート上でのルータ間の通信可否を判断する機能を有している。
【００２８】
シミュレーション結果情報１６の作成が完了すると、シミュレーション管理部１−２は、シミュレーション表示部１−１にシミュレーション結果情報１６を渡し、シミュレーション表示部１−１は、渡された結果をシミュレーション管理者１−１０に表示する。このとき、ルータ情報管理部１−４を介してルータ固定情報１７をルータ固定情報記憶部１−７から取得し、付帯情報として同時に表示することもできる。
【００２９】
・具体例
モバイル無線ルータを搭載した車両が２台（以降、ルータＸ、ルータＹと呼ぶ）が存在し、Ａ地点からＢ地点にルータＸとルータＹとの間でＩＰ通信を行ないながら別々のルート（例えば図１４中の経路２００，３００参照）で移動する計画があったと仮定する。以下では、その際のシミュレーションを例に説明する。
【００３０】
まず、シミュレーション管理者１−１０より、ルータ登録要求を受け取ると、ルータ固定情報入力部１−３は、ルータ固定情報入力画面を表示する。本例では、ルータ識別子としてＩＰアドレス、電波到達距離の他に、属性として名称（ルータＸ、ルータＹ等）を入力項目とする。入力された情報は、ルータ情報管理部１−４に入力され、当該ルータ情報管理部１−４によりルータ固定情報１７が作成されルータ固定情報記憶部１−７に登録される。その登録例を図６に示す。図６では、ＩＰアドレス“10.43.206.190”のルータＸの電波到達距離が半径18.0[km]、ＩＰアドレス“10.43.206.189”のルータＹの電波到達距離が半径20.0[km]であるとしてそれぞれ登録されている。
【００３１】
次に、シミュレーション管理者１−１０より、ルータ移動計画情報入力要求を受け取ると、ルータ移動計画情報入力部１−５は、登録されているルータを表示し、ルータ毎に移動計画の入力を促す。例えば、ルータＸについてルータ移動計画情報を入力する場合、ルータ移動計画情報入力部１−５は、地図を表示し、当該地図上でルータＸの移動ルートをマウスによるドラッグ操作等でなぞらせることで移動ルートを記録する（図７，図８，図９参照）。また、移動開始時刻と移動速度については、例えば図１０に示すごとく、別途、入力画面１０１を表示（ポップアップ表示）する。
【００３２】
これにより作成されるルータ移動計画情報１８の例を図１１に示す。図１１では、ルータＸ（ＩＰアドレス＝10.43.206.190）が、時速60.0[km]で“2004/07/12 13:00”（年／月／日／時刻）に移動を開始し、位置(42.59.15,141.21.25)，位置(42.59.17,141.21.16)，・・・，位置(43.49.15,144.6.39)という経路（緯度、経度）（例えば、図１４〜図１６の経路２００参照）を辿って移動することを表している。また、ルータＹ（ＩＰアドレス＝10.43.206.189）は、時速65.0[km]で“2004/07/12 13:10”（年／月／日／時刻）に移動を開始し、位置(42.61.17,141.20.16)，位置(42.61.20,141.20.06)，・・・，位置(43.49.15,144.6.39)という別の経路（緯度、経度）（例えば、図１４〜図１６の経路３００参照）を辿って移動することを表している。
【００３３】
次に、シミュレーション表示部１−１がシミュレーション管理者１−１０からシミュレーション実行要求を受け取ると、シミュレーション表示部１−１は、シミュレーション管理部１−２にその旨を通知する。シミュレーション管理部１−２は、ルータ情報管理部１−４にルータ移動計画情報要求を通知し、ルータ情報管理部１−４からルータ移動計画情報１８を取得する。
【００３４】
シミュレーション管理部１−２は、取得したルータ移動計画情報１８からルータ位置情報１９を作成する。本例では、シミュレーション開始時刻とシミュレーションの時刻の刻みは、シミュレーション管理者１−１０からシミュレーション実行要求時に通知することができる。ルータ位置情報１９の例を図１２に示す。この図１２に示す例は、シミュレーション開始時刻が“2004/07/12 13:00”、シミュレーションの時刻の刻みが１０分として通知されたときの例である。
【００３５】
ルータ位置情報１９の作成が完了すると、次にシミュレーション管理部１−２は、ルータ情報管理部１−４にルータ固定情報要求を通知し、ルータ情報管理部１−４からルータ固定情報１７を取得する。シミュレーション管理部１−２は、ルータ固定情報１７の電波到達距離と、ルータ位置情報１９とからシミュレーション結果情報１６を作成する。このとき作成されるシミュレーション結果情報１６の例を図１３に示す。この図１３では、ルータ識別子“10.43.206.190”は時刻13:00と時刻13:20の時点では通信可能な他ルータは存在せず、時刻13:10にはルータ識別子“10.43.206.190”のルータＸがルータ識別子“10.43.206.189”のルータＹと通信可能であることを示している。位置はそれぞれのルータの緯度、経度で表されている。
【００３６】
シミュレーション管理部１−２は、シミュレーション結果情報１６の作成が完了すると、その旨をシミュレーション表示部１−１に通知する。シミュレーション表示部１−１は、シミュレーション結果情報１６をアニメーションのように表示する。シミュレーション結果の表示例を図１４〜図１６に示す。本例では、通信可能な状態にあるルータ同士は接続線が引かれるように表示する。なお、これらの図１４〜図１６において、符号４００はルータＸの電波到達距離（通信可能エリア）、符号５００はルータＹの電波到達距離（通信可能エリア）をそれぞれ示している。つまり、シミュレーション管理部１−２は、前記電波到達距離情報に応じた電波到達距離も併せてシミュレーション表示部１−１に表示させることができる。
【００３７】
例えば、図１４に示すように、時刻13:00にはルータＸとルータＹとは通信可能距離にはいない（互いの通信可能エリア４００，５００に入っていない）ので、ルータＸとルータＹとの間に接続線は引かれない。このとき、ルータＸとルータＹとの間の通信は不能であることをその日時とともに表示することができる（図１４の符号６００参照）。
しかし、図１５に示すように、その後の時刻13:10にはルータＸとルータＹとが接近し、通信可能距離にいるため、ルータＸとルータＹとの間に通信可能な状態であることを表す接続線１００が引かれる（表示される）。このとき、併せて、ルータＸとルータＹとの間の通信が可能である旨をその日時とともに表示することができる（図１５の符号６０１参照）。
【００３８】
さらに、その後、図１６に示すように、時刻13:20には、再び、ルータＸとルータＹとは通信可能距離を超えてしまうので、ルータＸとルータＹとの間に接続線は引かれない。この場合も、ルータＸとルータＹとの間の通信は不能であることをその日時とともに表示することができる（図１６の符号６０２参照）。
このように、シミュレーション結果情報１６を時間経過とともにアニメーションのように連続で表示する。即ち、ルータＸ，Ｙの移動とともに、ルータＸ，Ｙ間で接続線１００が現れたり消えたりするように表示することで、何時頃、どの場所で通信ができなくなるか確認（予測）することができる。もっとも、通信可能状態の表示はかかる接続線表示に限定されず、他の表示方法を用いることもできる。なお、シミュレーション結果情報１６は、シミュレーション結果情報記憶部１−６に保存されているので、何度でも再生可能であり、一次停止なども可能となる。
【００３９】
以上のように、本実施形態によれば、モバイル無線ルータの移動計画（移動ルートや移動開始時刻など）に関する情報（位置情報）と電波到達距離情報とを入力すれば、時間経過に伴いモバイル無線ルータがどのように移動しながらネットワークを形成し、どのような通信状態の変化を辿るか（つまり、アドホックネットワークの移動に伴う通信環境の変化）を予測することができる。したがって、実際にモバイル無線ルータを現地で移動させてアドホックネットワークを構築する前に、通信状態を把握（予測）することができるため、現地で通信可能な地点を調査する必要がなく、また、評価にかかる時間も大幅に短縮することができるため、人件費、設備費を抑えることができる。
【００４０】
〔Ｂ〕第２実施形態の説明
図１７は本発明の第２実施形態としての通信シミュレーション装置の構成を示す機能ブロック図で、この図１７に示す通信シミュレーション装置１−１１は、第１実施形態にて上述したものに比して、シミュレーション情報通信部２−１，ルータ向けシミュレーション情報（全ルータ分）記憶部２−２及び通知情報定義情報記憶部２−８が付加されている。なお、この図１７において、符号２−３はモバイル無線ルータを示し、符号２−７はこのモバイル無線ルータ２−３に有線あるいは無線により接続されるＰＣやＰＤＡ等のＩＰ通信が可能な通信装置（ＩＰ装置）を示しており、モバイル無線ルータ２−３は、ルータ本体部２−４，通信可否通知判定部２−５及びルータ向けシミュレーション情報（自ルータ分）記憶部２−６をそなえて構成されている。
【００４１】
なお、シミュレーション表示部１−１、シミュレーション管理部１−２、ルータ固定情報入力部１−３、ルータ情報管理部１−４、ルータ移動計画情報入力部１−５、シミュレーション結果情報記憶部１−６、ルータ固定情報記憶部１−７、ルータ移動計画情報記憶部１−８、ルータ位置情報記憶部１−９については、特に断らない限り、第１実施形態にて上述したものと同一若しくは同様のものである。
【００４２】
ここで、通信シミュレーション装置１−１１において、シミュレーション情報通信部２−１は、シミュレーション管理部１−２を介して取得したシミュレーション結果情報１６を基に、ルータ向けシミュレーション情報（全ルータ分）２２を作成する機能を有するものである。また、このルータ向けシミュレーション情報（全ルータ分）２２からルータ向けシミュレーション情報（自ルータ分）２６をルータ識別子毎に作成し、各ルータ識別子をもつモバイル無線ルータ２−３に送信する機能も有している。つまり、本シミュレーション情報通信部２−１は、シミュレーション結果情報１６をモバイル無線ルータ２−３へ送信するシミュレーション結果送信手段としての機能を果たすのである。
【００４３】
通知情報定義情報記憶部２−８は、モバイル無線ルータ２−３がＩＰ装置２−７にどういう契機でどのような通知を行なうかを定義した情報（通知情報定義情報）２８を記憶するものである。
なお、上記のルータ向けシミュレーション情報（全ルータ分）２２とは、例えば図１８に示すように、全ルータのルータ識別子毎に、シミュレーション結果情報１６に登録されている時刻に、モバイル無線ルータ２−３がＩＰ装置２−７に通知する情報（種別Ｚ１、種別Ｚ２、種別Ｚ３等）を記載した情報であり、ルータ向けシミュレーション情報（全ルータ分）記憶部２−２に記憶される。
【００４４】
また、上記のルータ向けシミュレーション情報（自ルータ分）２６とは、例えば図１９に示すように、シミュレーション結果情報１６に登録されている時刻に自ルータ２−３に接続しているＩＰ装置２−７に通知する情報（種別Ｚ１、種別Ｚ２、種別Ｚ３等）を記載した情報であり、モバイル無線ルータ２−３のルータ向けシミュレーション情報（自ルータ分）記憶部２−６に保存される。
【００４５】
一方、図１７に示すモバイル無線ルータ２−３において、ルータ本体部２−４は、一般的なモバイル無線ルータの本体であり、無線通信機能やＷｅｂサーバ等の公知の機能を有し、前記無線通信機能により通信シミュレーション装置１−１１（シミュレーション情報通信部２−１）からシミュレーション結果情報１６を受信することができ、また、Ｗｅｂ（ウェブ）サーバとしての機能により、自ルータ２−３に接続しているＩＰ装置２−７（２台以上接続される場合もある）に対して、受信したシミュレーション結果情報１６に基づく自ルータ２−３の通信状態の変化（切断、復旧等）の予測を通知（提示）することができるようになっている。
【００４６】
つまり、このルータ本体部２−４は、通信シミュレーション装置１−１１でのシミュレーション結果を通信シミュレーション装置１−１１から受信する受信手段としての機能と、この受信手段で受信したシミュレーション結果に基づいて、自己の通信状態の変化予測を自己に接続している他のＩＰ装置２−７に提示する通信状態予測提示手段としての機能を果たすものである。
【００４７】
通信可否通知判定部２−５は、定期的にルータ向けシミュレーション情報（自ルータ分）記憶部２−６におけるルータ向けシミュレーション情報（自ルータ分）２６を参照し、参照した時刻に通知情報が記載されているか判定し、記載されていれば記載内容に沿った通知をルータ本体部２−４経由で当該モバイル無線ルータ２−３に接続している全てのＩＰ装置２−７に通知する機能を有するものである。
【００４８】
ルータ向けシミュレーション情報（自ルータ分）記憶部２−６は、通信シミュレーション装置１−１１から送信されてくる上記ルータ向けシミュレーション情報（自ルータ分）２６を記憶、保存するものである。
・動作概要
以下、上述のごとく構成された本実施形態の通信シミュレーション装置１−１１，モバイル無線ルータ２−３及びＩＰ装置２−７の動作（処理の流れ）について説明する。
【００４９】
まず、シミュレーション管理者１−１０より、シミュレーションデータ送信要求を通信シミュレーション装置１−１１において、シミュレーション情報通信部２−１が受け取ると、当該シミュレーション情報通信部２−１は、シミュレーション管理部１−２を介してシミュレーション結果情報記憶部１−６からシミュレーション結果情報１６を取得する。
シミュレーション情報通信部２−１は、通知情報定義情報記憶部２−８における通知情報定義情報２８に基づき、ルータ向けシミュレーション情報（全ルータ分）２２（図１８参照）を作成する。シミュレーション情報通信部２−１は、作成した情報をモバイル無線ルータ２−３に送信する。このときモバイル無線ルータ２−３に送信する情報は、当該モバイル無線ルータ２−３のルータ識別子が付与された情報のみである。
【００５０】
モバイル無線ルータ２−３は、上記情報を受信すると、当該受信情報を、ルータ本体部２−４を介して通信可否通知判定部２−５に渡す。通信可否通知判定部２−５は、渡された情報をルータ向けシミュレーション情報（自ルータ分）２６（図１９参照）としてルータ向けシミュレーション情報（自ルータ分）記憶部２−６に保存する。
通信可否通知判定部２−５は、定期的に当該記憶部２−６におけるルータ向けシミュレーション情報（自ルータ分）２６を参照し、参照した時刻の通信種別に記述があれば、その記述に沿った通知をルータ本体部２−４経由でＩＰ装置２−７に対して行なう。
【００５１】
・具体例
次に、第1実施形態にて上述したシミュレーションの結果に基づき、ルータＸ及びルータＹが、実際にＡ地点からＢ地点にＩＰ通信を行ないながら別々のルートで移動している例について説明する。
まず、第１実施形態で作成されシミュレーション結果情報記憶部１−６に保存されているシミュレーション結果情報１６からモバイル無線ルータ２−３に送信する情報を作成する例を図２０に示す。
【００５２】
シミュレーション管理者１−１０からモバイル無線ルータ２−３へのシミュレーション情報転送要求をシミュレーション情報通信部２−１が受け取ると、シミュレーション情報通信部２−１は、シミュレーション管理部１−２を介してシミュレーション結果情報記憶部１−６からシミュレーション結果情報１６を取得する。
シミュレーション情報通信部２−１は、通知情報定義情報記憶部２−８における通知情報定義情報２８に記載されているルールに従い、ルータ向けシミュレーション情報（全ルータ分）２２を作成する。このルータ向けシミュレーション情報（全ルータ分）２２の作成方法を以降に説明する。
【００５３】
シミュレーション結果情報１６のルータ識別子（ＩＰアドレス）“10.43.206.190”の日時“2004/07/12 13:00”の通信可能ルータ識別子を参照すると、通信可能ルータ識別子が存在しないことが分かる。つまり切断中である。通知情報定義情報２８を参照すると、「現在切断中で１０分後に通信可能ルータがある場合は復旧を通知」と記載されているので、日時“2004/07/12 13:10”の通信可能ルータ識別子を参照すると、ＩＰアドレスが記載されているので、通知情報としては「13:10に復旧」となる。よって、ルータ向けシミュレーション情報（全ルータ分）２２のルータ識別子“10.43.206.190”の日時“2004/07/12 13:00”の通知情報は「復旧，13:10」となる。
【００５４】
これらの処理を全時刻分、全ルータ識別子分行なう。
ルータ向けシミュレーション情報（全ルータ分）２２の作成が完了すると、シミュレーション情報通信部２−１は、例えば、ＩＰアドレス“10.43.206.190”のルータＸの分のみをルータＸに送信する。
ルータＸは、情報を受信すると、ルータ本体部２−４を介して通信可否通知判定部２−５に情報を渡し、通信可否通知判定部２−５は、その情報をルータ向けシミュレーション情報（自ルータ分）２６としてルータ向けシミュレーション情報（自ルータ分）記憶部２−６に保存する。
【００５５】
次に、ルータ向けシミュレーション情報（自ルータ分）２６を基に、ルータＸが接続しているＩＰ装置２−７に情報通知する仕組みの例を図２１に示す。
ルータＸは、ルータ向けシミュレーション情報（自ルータ分）２６の時刻間隔を当該情報受信時に記録し、その時刻間隔で当該情報を参照する。例えば、現在時刻が図２１にあるように“2004/07/12 13:10”だったとすると、通信可否通知判定部２−５は、通知情報に「切断，13:20」と記載されているので、例えば「13:20頃に他ルータとの通信が切断されます。」というＨＴＭＬ（Hyper Text Markup Language）ファイル２−１３を作成し、これをウェブ（Ｗｅｂ）サーバ２−１０により公開する。近年のほとんどのルータはメンテナンス用にＷｅｂサーバ２−１０を搭載しているため、その機能を利用することができる。
【００５６】
ＩＰ装置２−７では、Ｗｅｂブラウザ２−１１を常に起動しておき、当該ＨＴＭＬファイル２−１３のＵＲＬのページを開いておく。ＨＴＭＬファイル２−１３に自ページを定期的に更新するスクリプトを組み込んでおくことで、ＩＰ装置２−７のＷｅｂブラウザ２−１１では当該ＵＲＬが定期的に更新されるため、ＩＰ装置２−７の利用者はメッセージが変わっても、その旨を自らＷｅｂブラウザ２−１１を操作しなくても知ることができる。もっとも、Ｗｅｂサーバ２−１０、Ｗｅｂブラウザ２−１１をあえても利用しなくても、公知の通信機能を用いて通信状態の変化予測をＩＰ装置２−７へ通知することは実現可能である。
【００５７】
なお、ルータＸがルータＹと通信接続／切断を繰り返しながら移動するとき、ルータＸに接続するＩＰ装置２−７にどのようにメッセージが表示されるか、図２２〜図２５に表示イメージを示す。
即ち、図２２では現在時刻が13:00の時に「13:10頃他ルータとの通信が復旧します。」とのメッセージがＷｅｂブラウザ２−１１に表示され、図２３では現在時刻が13:10の時に「13:20頃他ルータとの通信が切断されます。」とのメッセージがＷｅｂブラウザ２−１１に表示され、図２４では、図２１にあるルータ向けシミュレーション情報（自ルータ分）２６の現在時刻13:20に通知情報のエントリがない（つまり、１０分後には通信状態に変化がない）ので、Ｗｅｂブラウザ２−１１にメッセージは表示されない。もっとも、この場合、通信状態に変化がない旨をメッセージとして表示してもよい。図２５では現在時刻が13:30の時に「13:40頃他ルータとの通信が復旧します。」とのメッセージがＷｅｂブラウザ２−１１に表示される。
【００５８】
以上のように、本実施形態によれば、第１実施形態と同様の作用効果が得られるほか、予めシミュレーション結果を知らない利用者でも、ＩＰ装置２−７をアドホックネットワーク（モバイル無線ルータ２−３）に接続することで、移動に伴うアドホックネットワークの通信状態の変化を予測することができるようになるため、アドホックネットワークを使った作業を計画的に行なうことができるようになる。
【００５９】
〔Ｃ〕変形例の説明
上述した実施形態では、いずれもシミュレーション結果情報１６を表示する際、モバイル無線ルータの電波到達距離は当該ルータの移動に伴って変化していない（一定である）が、当該ルータの送信電力制御機能によって電波到達距離が変化する場合には、これも併せて表示することができる。ここで、送信電力制御機能は、例えば、ＣＤＭＡ方式を採用する移動通信システムやアドホックモードを有する移動端末におけるものと同等の機能を採用することで実現できる。
【００６０】
即ち、ルータは、パイロット信号や管理メッセージ（ビーコンメッセージ）を周囲に送信することにより通信エリアを形成するが、受信側ルータでの当該パイロット信号や管理メッセージ（ビーコンメッセージ）の受信電力が所定電力よりも低い場合、送信側ルータへ送信電力を上げるよう要求し、送信側ルータは当該要求に応じてパイロット信号や管理メッセージ（ビーコンメッセージ）の送信電力を上げることができる。
【００６１】
このような場合、シミュレーション管理部１−２は、例えば図２６〜図２９に示すように、ルータの移動に伴って電波到達距離（通信可能エリア）の変化も併せてシミュレーション表示部１−１に表示させることができる。
即ち、図２６に示すように、ルータＸとルータＹとが最大送信電力でも互いの電波到達距離内に存在しないことがルータ位置情報１９により予測されている場合には、送信電力を零あるいは車両周辺のみをカバーする送信電力に抑え（符号４００，５００参照）、その後、図２７に示すように、各ルータＸ，Ｙの移動に伴って互いが接近して最大電波到達距離内に位置することが予測されれば、その位置において各ルータＸ，Ｙの送信電力制御により送信電力が増大して各ルータＸ，Ｙの電波到達距離（通信可能エリア）４００，５００を拡大して表示する。このとき、各ルータＸ，Ｙが互いに通信可能な状態であれば、前述したごとく例えば各ルータＸ，Ｙ間に接続線１００も表示される。
【００６２】
さらにその後、各ルータＸ，Ｙの移動に伴って再び互いの電波到達距離外に各ルータＸ，Ｙが離れると、図２６に示す場合と同様に、通信可能エリア４００，５００を縮小表示し、同様に、図２９に示すように、各ルータＸ，Ｙの移動に伴って互いが接近すると、その位置において各ルータＸ，Ｙの通信可能エリア４００，５００を拡大表示する。
このように、本変形例では、ルータＸ（又はＹ）が、他のルータＹ（又はＸ）との距離に応じて変化する受信電力に応じて自己の送信電力を変化させる送信電力制御機能を有する場合に、シミュレーション結果として、それぞれの通信可能距離を他のルータとの距離に応じて変化させて表示することができる。即ち、各ルータＸ，Ｙの移動表示に伴って、各ルータＸ，Ｙの位置情報に基づいて、各ルータＸ，Ｙの通信可否の時間変化、および、各ルータＸ，Ｙの送信電力制御による通信可能エリア４００，５００の変化も併せて表示することができる。したがって、ルータＸ，Ｙの電力消費量を予測することが可能となり、ルータＸ，Ｙに最低限必要なバッテリ量を予測することが可能となる。
【００６３】
なお、本発明は、上述した実施形態に限定されず、本発明の趣旨を逸脱しない範囲で種々変形して実施できることはいうまでもない。
例えば、上述した実施形態では、一時的なネットワークを構成するネットワーク装置がモバイル無線ルータである場合について説明したが、本発明は同等のネットワークを形成可能な無線装置であれば同様に適用され、上述した実施形態と同様の作用効果を奏することができる。
【００６４】
また、上述した実施形態では、２台のルータが別々の移動ルート２００，３００を移動する場合のシミュレーションについて説明したが、本発明は、３台以上のルータがそれぞれ別々のルートあるいは一部又は全部のルータが同じルートを移動する場合にも同様に適用され、上述した実施形態と同様の作用効果を奏することができる。
〔Ｄ〕付記
（付記１）
複数の移動可能なネットワーク装置で構成されるネットワークの、該ネットワーク装置の移動に伴う該ネットワークの通信環境の変化をシミュレーションする通信シミュレーション装置であって、
少なくとも該ネットワーク装置の通信可能距離情報と該ネットワーク装置の移動ルートを特定する位置情報とを入力する入力手段と、
該入力手段により入力された該通信可能距離情報及び該位置情報に基づいて、該移動ルート上での該ネットワーク装置の移動に伴う該ネットワーク装置間の通信状態の変化をシミュレーションするシミュレーション管理手段と、
該シミュレーション管理手段によるシミュレーション結果を提示する提示手段とをそなえたことを特徴とする、通信シミュレーション装置。
【００６５】
（付記２）
該シミュレーション結果提示手段が、
該シミュレーション結果に基づいて、該ネットワーク装置の該移動ルート上の移動とともに該ネットワーク装置間の通信可否の変化を表示するシミュレーション表示手段として構成されていることを特徴とする、付記１記載の通信シミュレーション装置。
【００６６】
（付記３）
該シミュレーション表示手段が、
該ネットワーク装置間が通信可能であるときには、当該ネットワーク装置間に接続線を引いてその旨を表示するように構成されたことを特徴とする、付記２記載の通信シミュレーション装置。
【００６７】
（付記４）
該シミュレーション表示手段が、
該通信可能距離情報に応じた該ネットワーク装置の通信可能距離を併せて表示するように構成されたことを特徴とする、付記２又は付記３に記載の通信シミュレーション装置。
（付記５）
該ネットワーク装置が、他のネットワーク装置との距離に応じて変化する受信電力に応じて自己の送信電力を変化させる送信電力制御機能を有する場合に、
該シミュレーション表示手段が、
該位置情報に基づいて、該通信可能距離を上記他のネットワーク装置との距離に応じて変化させて表示するように構成されたことを特徴とする、付記４記載の通信シミュレーション装置。
【００６８】
（付記６）
該入力手段が、
地図表示上での該移動ルートをなぞる操作により該移動ルートを特定する該位置情報の集合が入力されるように構成されたことを特徴とする、付記１記載の通信シミュレーション装置。
【００６９】
（付記７）
該シミュレーション結果を該ネットワーク装置へ送信するシミュレーション結果送信手段をさらにそなえたことを特徴とする、付記１記載の通信シミュレーション装置。
（付記８）
複数の移動可能なネットワーク装置で構成されるネットワークの、該ネットワーク装置の移動に伴う該ネットワークの通信環境の変化を少なくとも該ネットワーク装置の通信可能距離情報と該ネットワーク装置の移動ルートを特定する位置情報とに基づいてシミュレーションする通信シミュレーション装置に接続される該ネットワーク装置であって、
上記シミュレーション結果を該通信シミュレーション装置から受信する受信手段と、
該受信手段で受信した該シミュレーション結果に基づいて、自己の通信状態の変化予測を自己に接続している他の通信装置に提示する通信状態予測提示手段とをそなえたことを特徴とする、ネットワーク装置。
【００７０】
（付記９）
複数の移動可能なネットワーク装置で構成されるネットワークの、該ネットワーク装置の移動に伴う該ネットワークの通信環境の変化をシミュレーションする通信シミュレーション方法であって、
少なくとも該ネットワーク装置の通信可能距離情報と該ネットワーク装置の移動ルートを特定する位置情報とに基づいて、該移動ルート上での該ネットワーク装置の移動に伴う該ネットワーク装置間の通信状態の変化をシミュレーションし、
そのシミュレーション結果を提示することを特徴とする、通信シミュレーション方法。
【００７１】
（付記１０）
該シミュレーション結果結果に基づいて、該ネットワーク装置の該移動ルート上の移動とともに該ネットワーク装置間の通信可否の変化を表示することを特徴とする、付記９記載の通信シミュレーション方法。
（付記１１）
該ネットワーク装置間が通信可能であるときには、当該ネットワーク装置間に接続線を引いてその旨を表示することを特徴とする、付記１０記載の通信シミュレーション方法。
【００７２】
（付記１２）
該通信可能距離情報に応じた該ネットワーク装置の通信可能距離を併せて表示するように構成されたことを特徴とする、付記１１又は付記１２に記載の通信シミュレーション方法。
（付記１３）
該ネットワーク装置が、他のネットワーク装置との距離に応じて変化する受信電力に応じて自己の送信電力を変化させる送信電力制御機能を有する場合に、
該位置情報に基づいて、該通信可能距離を上記他のネットワーク装置との距離に応じて変化させて表示することを特徴とする、付記１２記載の通信シミュレーション方法。
【図面の簡単な説明】
【００７３】
【図１】本発明の第１実施形態としての通信シミュレーション装置の構成を示す機能ブロック図である。
【図２】図１に示すルータ固定情報の一例を示す図である。
【図３】図１に示すルータ移動計画情報の一例を示す図である。
【図４】図１に示すルータ位置情報の一例を示す図である。
【図５】図１に示すシミュレーション結果情報の一例を示す図である。
【図６】図１に示すルータ固定情報の一例を示す図である。
【図７】図１に示す通信シミュレーション装置の動作（ルータ移動計画情報入力操作）を説明するための図である。
【図８】図１に示す通信シミュレーション装置の動作（ルータ移動計画情報入力操作）を説明するための図である。
【図９】図１に示す通信シミュレーション装置の動作（ルータ移動計画情報入力操作）を説明するための図である。
【図１０】図１に示す通信シミュレーション装置の動作（ルータ移動計画情報入力操作）を説明するための図である。
【図１１】図１に示す通信シミュレーション装置の動作を説明すべく図１に示すルータ移動計画情報の具体例を示す図である。
【図１２】図１に示す通信シミュレーション装置の動作を説明すべく図１に示すルータ位置情報の具体例を示す図である。
【図１３】図１に示す通信シミュレーション装置の動作を説明すべく図１に示すシミュレーション結果情報の具体例を示す図である。
【図１４】図１に示す通信シミュレーション装置によるシミュレーション結果の表示例を示す図である。
【図１５】図１に示す通信シミュレーション装置によるシミュレーション結果の表示例を示す図である。
【図１６】図１に示す通信シミュレーション装置によるシミュレーション結果の表示例を示す図である。
【図１７】本発明の第２実施形態としての通信シミュレーション装置の構成を示す機能ブロック図である。
【図１８】図１７に示すルータ向けシミュレーション情報（全ルータ分）の一例を示す図である。
【図１９】図１７に示すルータ向けシミュレーション情報（自ルータ分）の一例を示す図である。
【図２０】図１７に示す通信シミュレーション装置で用いられるシミュレーション結果情報，ルータ向けシミュレーション情報（全ルータ分），ルータ向けシミュレーション情報（自ルータ分）及び通知情報定義情報の具体例を示す図である。
【図２１】図１に示すモバイル無線ルータが通信シミュレーション装置からシミュレーション結果情報を受けて自ルータに接続しているＩＰ装置に通信状態の変化予測を通知する動作を説明するための図である。
【図２２】図１に示すモバイル無線ルータが通信シミュレーション装置からシミュレーション結果情報を受けて自ルータに接続しているＩＰ装置に通信状態の変化予測を通知する動作を説明するための図である。
【図２３】図１に示すモバイル無線ルータが通信シミュレーション装置からシミュレーション結果情報を受けて自ルータに接続しているＩＰ装置に通信状態の変化予測を通知する動作を説明するための図である。
【図２４】図１に示すモバイル無線ルータが通信シミュレーション装置からシミュレーション結果情報を受けて自ルータに接続しているＩＰ装置に通信状態の変化予測を通知する動作を説明するための図である。
【図２５】図１に示すモバイル無線ルータが通信シミュレーション装置からシミュレーション結果情報を受けて自ルータに接続しているＩＰ装置に通信状態の変化予測を通知する動作を説明するための図である。
【図２６】第１及び第２実施形態の変形例としてモバイル無線ルータの移動に伴って電波到達距離の変化も併せて表示する例を示す図である。
【図２７】第１及び第２実施形態の変形例としてモバイル無線ルータの移動に伴って電波到達距離の変化も併せて表示する例を示す図である。
【図２８】第１及び第２実施形態の変形例としてモバイル無線ルータの移動に伴って電波到達距離の変化も併せて表示する例を示す図である。
【図２９】第１及び第２実施形態の変形例としてモバイル無線ルータの移動に伴って電波到達距離の変化も併せて表示する例を示す図である。
【符号の説明】
【００７４】
１−１  シミュレーション表示部（シミュレーション結果提示手段、シミュレーション表示手段）
１−２  シミュレーション管理部
１−３  ルータ固定情報入力部（入力手段）
１−４  ルータ情報管理部
１−５  ルータ移動計画情報入力部（入力手段）
１−６  シミュレーション結果情報記憶部
１−７  ルータ固定情報記憶部
１−８  ルータ移動計画情報記憶部
１−９  ルータ位置情報記憶部
１−１０  シミュレーション管理者
１−１１  通信シミュレーション装置
２−１  シミュレーション情報通信部（シミュレーション結果送信手段）
２−２  ルータ向けシミュレーション情報（全ルータ分）
２−３  モバイル無線ルータ（ネットワーク装置）
２−４  ルータ本体部（受信手段、通信状態予測提示手段）
２−５  通信可否通知判定部
２−６  ルータ向けシミュレーション情報（自ルータ分）記憶部
２−７  通信装置（ＩＰ装置）
２−８  通知情報定義情報記憶部
２−９  無線通信／ルータ部
２−１０  ウェブ（Ｗｅｂ）サーバ
２−１１  ウェブ（Ｗｅｂ）ブラウザ
２−１３  ＨＴＭＬファイル
１６  シミュレーション結果情報
１７  ルータ固定情報
１８  ルータ移動計画情報
１９  ルータ位置情報
２２  ルータ向けシミュレーション情報（全ルータ分）
２６  ルータ向けシミュレーション情報（自ルータ分）
２８  通知情報定義情報
１００  接続線
１０１  入力画面
２００，３００  経路（移動ルート）
４００，５００  電波到達距離（通信可能エリア）
【図１】
2006165870.tif 000003
【図２】
2006165870.tif 000004
【図３】
2006165870.tif 000005
【図４】
2006165870.tif 000006
【図５】
2006165870.tif 000007
【図６】
2006165870.tif 000008
【図７】
2006165870.tif 000009
【図８】
2006165870.tif 000010
【図９】
2006165870.tif 000011
【図１０】
2006165870.tif 000012
【図１１】
2006165870.tif 000013
【図１２】
2006165870.tif 000014
【図１３】
2006165870.tif 000015
【図１４】
2006165870.tif 000016
【図１５】
2006165870.tif 000017
【図１６】
2006165870.tif 000018
【図１７】
2006165870.tif 000019
【図１８】
2006165870.tif 000020
【図１９】
2006165870.tif 000021
【図２０】
2006165870.tif 000022
【図２１】
2006165870.tif 000023
【図２２】
2006165870.tif 000024
【図２３】
2006165870.tif 000025
【図２４】
2006165870.tif 000026
【図２５】
2006165870.tif 000027
【図２６】
2006165870.tif 000028
【図２７】
2006165870.tif 000029
【図２８】
2006165870.tif 000030
【図２９】
2006165870.tif 000031